(57)【要約】【課題】  従来から用いられているＩＣカードをそのまま利用することができ、利用者がＩＣカードを携帯するだけで入退場を行うことのできる入退場管理システムを提供する。【解決手段】  ＩＣカード９のカード情報を読み書きするＩＣカードリーダライタ１１と、ＩＣカードリーダライタ１１により読み取られたカード情報を人体通信により送信する人体通信送信機１２と、人体通信送信機１２から送信されたカード情報を受信する人体通信受信機６と、ＩＣカード９の利用者が入退場するためのゲート装置２と、人体通信受信機６により受信されたカード情報に基づいてゲート装置２の開閉制御を行うシステム管理装置７と、を備えている。【選択図】      図２
2012053520.tif 000002
【特許請求の範囲】
【請求項１】
ＩＣカードのカード情報を読み書きするＩＣカードリーダライタと、
前記ＩＣカードリーダライタにより読み取られたカード情報を人体通信により送信する人体通信送信機と、
前記人体通信送信機から送信されたカード情報を受信する人体通信受信機と、
前記ＩＣカードの利用者が入退場するためのゲート装置と、
前記人体通信受信機により受信されたカード情報に基づいて前記ゲート装置の開閉制御を行うシステム管理装置と、
を備えていることを特徴とする入退場管理システム。
【請求項２】
前記ＩＣカードリーダライタおよび前記人体通信送信機は、一体に形成されていることを特徴とする請求項１に記載の入退場管理システム。
【請求項３】
前記ゲート装置は、間にゲート通路を構成する一対のゲート壁を備えており、前記人体通信受信機は、前記ゲート壁の上面に配置されていることを特徴とする請求項１または請求項２に記載の入退場管理システム。
【請求項４】
前記ゲート装置は、間にゲート通路を構成する一対のゲート壁を備えており、前記人体通信受信機は、前記ゲート通路に配置されていることを特徴とする請求項１または請求項２に記載の入退場管理システム。
【請求項５】
前記ＩＣカードは、ＦｅｌｉＣａカードまたはＮＦＣカードであることを特徴とする請求項１から請求項４のいずれか一項に記載の入退場管理システム。
【請求項６】
ＩＣカードのカード情報を読み書きするＩＣカードリーダライタ基板と、
前記ＩＣカードリーダライタ基板により読み取られたカード情報を人体通信により送信する人体通信送信基板と、
前記ＩＣカードリーダライタ基板および前記人体通信送信基板を制御する制御基板と、
を備えていることを特徴とする人体通信ユニット。
【請求項７】
前記制御基板により前記ＩＣカードのカード情報を表示するための表示部を備えていることを特徴とする請求項６に記載の人体通信ユニット。
【請求項８】
前記表示部は、電子ペーパーにより構成されていることを特徴とする請求項６に記載の人体通信ユニット。
【請求項９】
前記ＩＣカードリーダライタ基板、前記人体通信送信基板または前記表示部は、前記ＩＣカードを収容するカードホルダに内蔵されていることを特徴とする請求項６から請求項８のいずれか一項に記載の人体通信ユニット。
【発明の詳細な説明】
【技術分野】
【０００１】
本発明は入退場管理システムおよび人体通信ユニットに係り、特に、従来から用いられているＩＣカードをそのまま利用することができ、利用者がＩＣカードを携帯するだけで入退場を行うことを可能とした入退場管理システムおよび人体通信ユニットに関するものである。
【背景技術】
【０００２】
従来から、不正な入場などを防止するため、例えば、ビルの入口や駅の改札には、ゲート装置を備えた入退場管理システムが設置されている。このような入退場管理システムにおいては、ゲート装置にリーダライタを設置し、利用者が非接触式のＩＣカードを近接させるかまたは接触させることにより、ＩＣカードのカード情報をリーダライタにより読み取り、ゲート装置の通過許可または不許可の判定を行うようになっている。
【０００３】
この場合に、利用者は、ＩＣカードをリーダライタに近接されるかまたは接触させる必要があるため、服のポケットやカバンなどからあらかじめＩＣカードを取り出して、ゲート装置を通過する準備をしておく必要がある。そのため、利用者がＩＣカードの準備を怠った場合に、ゲート装置を通過する利用者の滞留が生じてしまい、円滑な通行の妨げとなってしまうという問題を有している。
【０００４】
そのため、従来から、利用者が乗車券や定期券などに対応する乗車券情報を記憶させたパスを身に付け、利用者が自動改札機を通過した場合に、改札通路に埋設された信号電極との間で人体通信によりパスの乗車券情報を受信し、この乗車券情報に基づいて乗客の通過の許可または不許可を判定するようにした技術が開示されている（例えば、特許文献１参照。）。この特許文献１に記載された技術によれば、利用者は、ＩＣカードをリーダライタに近接させたりまたは接触させたりする必要がなく、パスを身に付けているだけで、自動改札機を通過することができ、利用者の利便性を高めることができるものである。
【先行技術文献】
【特許文献】
【０００５】
【特許文献１】特開２００６−３５２３１８号公報
【発明の概要】
【発明が解決しようとする課題】
【０００６】
しかしながら、前記特許文献１に記載の技術においては、利用者が乗車券や定期券などに対応する乗車券情報を記憶させ人体通信に適したパスを身につける必要があるため、従来から使用していたＩＣカードをそのまま利用することができず、新たにパスを発行する必要がある。そのため、このような特許文献１に記載されたシステムを適用する場合は、利用者全員に対して新たにパスを再発行する必要があり、運用コストが高くなってしまうという問題を有している。
【０００７】
また、例えば、ＵＨＦ帯の電磁波を利用して、無線によりＩＣカードのカード情報を送信するようにすれば、ＩＣカードを身につけることにより、認証は可能となるが、ＵＨＦ帯の電磁波を利用した場合には、ＩＣカードの読み取り範囲が極めて広くなってしまい、入退場しない利用者のカード情報も読み取ってしまうおそれがあり、誤認証が生じやすいという問題を有している。
【０００８】
本発明は前記した点に鑑みてなされたものであり、従来から用いられているＩＣカードをそのまま利用することができ、利用者がＩＣカードを携帯するだけで入退場を行うことのできる入退場管理システムおよび人体通信ユニットを提供することを目的とするものである。
【課題を解決するための手段】
【０００９】
本発明は前記目的を達成するために、請求項１の発明に係る入退場管理システムは、ＩＣカードのカード情報を読み書きするＩＣカードリーダライタと、
前記ＩＣカードリーダライタにより読み取られたカード情報を人体通信により送信する人体通信送信機と、
前記人体通信送信機から送信されたカード情報を受信する人体通信受信機と、
前記ＩＣカードの利用者が入退場するためのゲート装置と、
前記人体通信受信機により受信されたカード情報に基づいて前記ゲート装置の開閉制御を行うシステム管理装置と、
を備えていることを特徴とする。
【００１０】
請求項２に係る発明は、請求項１において、前記ＩＣカードリーダライタおよび前記人体通信送信機は、一体に形成されていることを特徴とする。
【００１１】
請求項３に係る発明は、請求項１または請求項２において、前記ゲート装置は、間にゲート通路を構成する一対のゲート壁を備えており、前記人体通信受信機は、前記ゲート壁の上面に配置されていることを特徴とする。
【００１２】
請求項４に係る発明は、請求項１または請求項２において、前記ゲート装置は、間にゲート通路を構成する一対のゲート壁を備えており、前記人体通信受信機は、前記ゲート通路に配置されていることを特徴とする。
【００１３】
請求項５に係る発明は、請求項１から請求項４のいずれか一項において、前記ＩＣカードは、ＦｅｌｉＣａカードまたはＮＦＣカードであることを特徴とする。
【００１４】
また、請求項６の発明に係る人体通信ユニットは、ＩＣカードのカード情報を読み書きするＩＣカードリーダライタ基板と、
前記ＩＣカードリーダライタ基板により読み取られたカード情報を人体通信により送信する人体通信送信基板と、
前記ＩＣカードリーダライタ基板および前記人体通信送信基板を制御する制御基板と、
を備えていることを特徴とする。
【００１５】
請求項７に係る発明は、請求項６において、前記制御基板により前記ＩＣカードのカード情報を表示するための表示部を備えていることを特徴とする。
【００１６】
請求項８に係る発明は、請求項７において、前記表示部は、電子ペーパーにより構成されていることを特徴とする。
【００１７】
請求項９に係る発明は、請求項６から請求項８のいずれか一項において、前記ＩＣカードリーダライタ基板、前記人体通信送信基板または前記表示部は、前記ＩＣカードを収容するカードホルダに内蔵されていることを特徴とする。
【発明の効果】
【００１８】
請求項１に係る発明によれば、ＩＣカードリーダライタにより読み取ったカード情報を人体通信送信機により人体を介して送信し、人体通信受信機により受信されたカード情報に基づいて、システム管理装置により、ゲート装置の開閉制御を行うようにしているので、利用者は、ＩＣカード、ＩＣカードリーダライタおよび人体通信送信機を携帯するだけで、ＩＣカードを取り出すことなく、ゲート装置を通過することができ、利便性を著しく高めることができる。しかも、人体通信を介して人体通信受信機によりカード情報を受信するものであり、受信範囲が狭いことから、従来のＵＨＦ帯の電磁波を利用して無線によりＩＣカードのカード情報を送信する場合と比較して、入退場しない利用者のカード情報を読み取ってしまうことがなく、誤認証を確実に防止することができる。また、ＩＣカードリーダライタにより、ＩＣカードのカード情報を読み取ることができるようにしているので、従来から使用されているＩＣカードをそのまま利用することができ、新たなＩＣカードの発行が不要となり、運用コストの低減を図ることができる。また、従来から使用されているＩＣカードをそのまま利用することができるので、システム管理装置などの上位装置についても、再構築することなくそのまま利用することが可能となる。
【００１９】
請求項２に係る発明によれば、ＩＣカードリーダライタおよび人体通信送信機を、一体に形成するようにしているので、利用者が、一体に形成されたＩＣカードリーダライタおよび人体通信送信機と、ＩＣカードとを容易に携帯することができ、ＩＣカードを取り出すことなく、ゲート装置を通過することができ、利便性を著しく高めることができる。
【００２０】
請求項３に係る発明によれば、ゲート装置のゲート壁の上面に、人体通信受信機を配置するようにしているので、ゲート壁の人体通信受信機に接触するだけで、ゲート装置を通過することができ、利便性を著しく高めることができる。
【００２１】
請求項４に係る発明によれば、ゲート装置のゲート通路に、人体通信受信機を配置するようにしているので、ゲート通路の人体通信受信機を通過するだけで、ゲート装置を通過することができ、利便性を著しく高めることができる。
【００２２】
請求項５に係る発明によれば、ＩＣカードを、ＦｅｌｉＣａカードまたはＮＦＣカードとしているので、従来から使用されているＦｅｌｉＣａカードまたはＮＦＣカードをそのまま利用することができ、新たなＩＣカードの発行が不要となり、運用コストの低減を図ることができる。
【００２３】
請求項６に係る発明によれば、人体通信ユニットを、ＩＣカードのカード情報を読み書きするＩＣカードリーダライタ基板と、カード情報を人体通信により送信する人体通信送信基板と、ＩＣカードリーダライタ基板および人体通信送信基板を制御する制御基板と、により構成するようにしているので、利用者が、ＩＣカードと人体通信ユニットとを携帯するだけで、ＩＣカードを取り出すことなく、ゲート装置の認証を行うことができ、利便性を著しく高めることができる。また、ＩＣカードリーダライタにより、ＩＣカードのカード情報を読み取ることができるようにしているので、従来から使用されているＩＣカードをそのまま利用することができ、新たなＩＣカードの発行が不要となり、運用コストの低減を図ることができる。また、従来から使用されているＩＣカードをそのまま利用することができるので、システム管理装置などの上位装置についても、再構築することなくそのまま利用することが可能となる。
【００２４】
請求項７に係る発明によれば、制御基板によりＩＣカードのカード情報を表示するための表示部を備えているので、表示部により、ＩＣカードのカード情報を表示させることにより、容易にカード情報を把握することができる。
【００２５】
請求項８に係る発明によれば、表示部を電子ペーパーにより構成するようにしており、電子ペーパーは、表示状態を保持することができるので、表示部による表示に使用される電力を著しく低減させることができ、人体通信ユニットの消費電力を低減させることができる。
【００２６】
請求項９に係る発明によれば、ＩＣカードリーダライタ基板、人体通信送信基板または表示部を、ＩＣカードを収容するカードホルダに内蔵するようにしているので、カードホルダにＩＣカードを収容することにより、ＩＣカードと人体通信ユニットとを一体にして携帯することができ、より利便性を高めることができる。
【図面の簡単な説明】
【００２７】
【図１】本発明に係る入退場管理システムの実施形態を適用したゲート装置を示す概略斜視図である。
【図２】本発明に係る入退場管理システムの実施形態を示す制御構成の概略構成図である。
【図３】本発明に係る入退場管理システムの実施形態における人体通信の概念を示す説明図である。
【図４】本発明に係る入退場管理システムに用いられる人体通信ユニットの実施形態を示す概略構成図である。
【発明を実施するための形態】
【００２８】
以下、本発明の実施形態について図面を参照して説明する。
【００２９】
図１は、本発明に係る入退場管理システムの実施形態を示す概略構成図であり、本実施形態においては、入退場管理システム１を、例えば、セキュリティを行う必要があるビルの入口に設置されたゲート装置２に適用する場合について説明する。
【００３０】
入退場管理システム１は、ゲート装置２を備えており、このゲート装置２は、所定の間隔を持って立設された一対のゲート壁３，３を備えている。そして、ゲート壁３の間に、人などが通過するゲート通路４が構成されるようになっている。各ゲート壁３の互いに対向する面には、ゲート通路４を塞ぐゲートドア５が開閉自在に設けられている。
【００３１】
また、一方のゲート壁３の上面には、ゲート通路４を通過することを許可するための情報を受信するための人体通信受信機６が配置されており、この人体通信受信機６には、ＩＣカードのカード情報に基づく認証、ＩＣカード情報の管理、ゲート装置２の開閉制御管理などを行うシステム管理装置７が接続されている。なお、人体通信受信機６は、その他、例えば、ゲート通路４の床面に配置するようにしてもよい。
【００３２】
また、図２は、入退場管理システム１の制御構成を示したものであり、本実施形態においては、入退場管理システム１は、人体通信ユニット８を備えている。この人体通信ユニット８は、非接触式のＩＣカード９のカード情報を読み取るためのリーダライタアンテナ１０を備えたＩＣカードリーダライタ１１を備えている。また、ＩＣカードリーダライタ１１には、人体通信送信機１２が接続されており、人体通信送信機１２には、送信アンテナ１３が接続されている。さらに、入退場管理システム１は、ＩＣカードリーダライタ１１および人体通信送信機１２を制御するための制御装置１４を備えている。なお、ＩＣカード９としては、例えば、ＦｅｌｉＣａ（登録商標）カードやＮＦＣ（Ｎｅａｒ  Ｆｉｅｌｄ  Ｃｏｍｍｕｎｉｃａｔｉｏｎ）カードなどのＩＣカードリーダライタ１１によりカード情報を読み書きすることができる各種ＩＣカード９を用いることができる。
【００３３】
ここで、図３に示すように、人体通信送信機１２は、人体１５の表面と容量結合していれば、交流電界を伝達することができる。そして、交流信号が５〜１０ＭＨｚの周波数帯であれば、人体１５は、ほぼ導体とみなすことができ、人体通信送信機１２が誘起した交流電界信号は、ほとんど空間に放射されることなく、人体１５の表面を伝わってアースグランド１６に流れる。この人体１５の表面を流れる交流電界信号がアースグランド１６に流れる前に、人体通信受信機６により検出することにより、人体通信が成立するものである。
【００３４】
したがって、ＩＣカード９の利用者が、ＩＣカード９と人体通信送信機１２が内蔵された人体通信ユニット８とを服のポケットやカバンなどに携帯した状態で、ＩＣカードリーダライタ１１により読み取られたＩＣカード９のカード情報を人体通信送信機１２により交流電界信号として送信することにより、この交流電界信号が利用者の体表面を通ってアースグランド１６に流れるものである。そして、利用者がゲート装置２に設置された人体通信受信機６に接触することにより、ＩＣカード９のカード情報を人体通信受信機６により受信することができるものである。
【００３５】
また、図４は、本発明に係る人体通信ユニット８を示したものであり、本実施形態においては、人体通信ユニット８は、例えば、非接触式のＩＣカード９を収容することができるカードホルダ１７の内部に収容するように構成されている。人体通信ユニット８には、ＩＣカード９のカード情報を読み書きするためのＩＣカードリーダライタ１１を構成するＩＣカードリーダライタ基板１８、カード情報を人体通信により送信するための人体通信送信機１２を構成する人体通信送信基板１９、例えば、電子ペーパーなどからなりＩＣカード９の電子マネー残高などのカード情報を表示するための表示部２０、これらＩＣカードリーダライタ基板１８、人体通信送信基板１９および表示部２０の制御を行うための制御装置１４を構成する制御基板２１がそれぞれ一体に設けられており、これらＩＣカードリーダライタ基板１８、人体通信送信基板１９、表示部２０、制御基板２１は、それぞれ配線ケーブル２２を介して接続されている。
【００３６】
さらに、人体通信ユニット８には、これら各機器に電源を供給するための電池２３が設けられており、この電池２３は、例えば、ボタン電池でもよいし、バッテリでもよい。そして、このようにＩＣカード９とほぼ同様の寸法を有するカードホルダ１７の内部に人体通信ユニット８を内蔵させることにより、ＩＣカード９をカードホルダ１７に収容するだけで、人体通信ユニット８のＩＣカードリーダライタ１１により、ＩＣカード９のカード情報を読み取って人体通信による送信を行うことができるものである。
【００３７】
次に、本実施形態の作用について説明する。
【００３８】
まず、ＩＣカード９の利用者は、ＩＣカード９を人体通信ユニット８が内蔵されたカードホルダ１７に収容して、このカードホルダ１７を服のポケットやカバンの中などに携帯しておく。
【００３９】
ＩＣカード９のカード情報は、ＩＣカードリーダライタ１１により読み取られ、そのカード情報が人体通信送信機１２に送られる。そして、このカード情報は、人体通信送信機１２により交流電界信号として送信される。これにより、交流電界信号が利用者の体表面を通り、アースグランドに流れる状態となる。
【００４０】
この状態で、ゲート装置２のゲート通路４を通る際に、利用者が人体通信受信機６に接触すると、利用者の体表面を流れる交流電界信号が人体通信受信機６により受信され、この受信したカード情報がシステム管理装置７に送られる。そして、システム管理装置７により、カード情報に基づいて認証を行い、認証が適正なものである場合には、ゲートドア５が開動作される。
【００４１】
以上述べたように、本実施形態においては、ＩＣカードリーダライタ１１により読み取ったカード情報を人体通信送信機１２により人体を介して送信するようにしているので、利用者は、ＩＣカード９および人体通信ユニット８を携帯するだけで、ＩＣカード９を取り出すことなく、ゲート装置２を通過することができ、利便性を著しく高めることができる。しかも、人体通信を介して人体通信受信機６によりカード情報を受信するものであり、受信範囲が狭いことから、従来のＵＨＦ帯の電磁波を利用して無線によりＩＣカード９のカード情報を送信する場合と比較して、入退場しない利用者のカード情報を読み取ってしまうことがなく、誤認証を確実に防止することができる。
【００４２】
また、カードホルダ１７に内蔵された人体通信ユニット８により、ＩＣカード９のカード情報を読み取ることができるようにしているので、従来から使用されているＩＣカード９をそのまま利用することができ、新たなＩＣカード９の発行が不要となり、運用コストの低減を図ることができる。また、従来から使用されているＩＣカード９をそのまま利用することができるので、システム管理装置７などの上位装置についても、再構築することなくそのまま利用することが可能となる。
【００４３】
また、ＩＣカードリーダライタ基板１８、人体通信送信基板１９および表示部２０を、ＩＣカード９を収容するカードホルダ１７に内蔵するようにしているので、カードホルダ１７にＩＣカード９を収容することにより、ＩＣカード９と人体通信ユニット８とを一体にして携帯することができ、より利便性を高めることができる。
【００４４】
なお、前記実施形態においては、カードホルダ１７に人体通信ユニット８を内蔵し、カードホルダ１７にＩＣカード９を収容して所持するようにしているが、例えば、ＩＣカード９とほぼ同形状に形成された人体通信ユニット８とＩＣカード９とを重ねて所持するようにしてもよいし、ＩＣカード９と人体通信ユニット８とをパスケースや他のカードホルダに収容して保持するようにしても同様の効果を得ることができる。
【００４５】
また、前記実施形態においては、入退場管理システム１を、セキュリティを行う必要があるビルの入口に設置されたゲート装置２に適用する場合について説明したが、その他、駅の改札口など入退場の管理を行う必要がある箇所のいずれにも適用することが可能である。
【００４６】
また、本発明は上記実施形態に限定されるものではなく、本発明の趣旨に基づいて種々の変形が可能である。
【符号の説明】
【００４７】
１  入退場管理システム
２  ゲート装置
３  ゲート壁
４  ゲート通路
５  ゲートドア
６  人体通信受信機
７  システム管理装置
８  人体通信ユニット
９  ＩＣカード
１０  リーダライタアンテナ
１１  ＩＣカードリーダライタ
１２  人体通信送信機
１３  送信アンテナ
１４  制御装置
１５  人体
１６  アースグランド
１７  カードホルダ
１８  ＩＣカードリーダライタ基板
１９  人体通信送信基板
２０  表示部
２１  制御基板
２２  配線ケーブル
２３  電池
【図１】
2012053520.tif 000003
【図２】
2012053520.tif 000004
【図３】
2012053520.tif 000005
【図４】
2012053520.tif 000006